(57)【特許請求の範囲】
【請求項１】
冷却室の背面部にダクト形成部材を取付けて、該ダクト形成部材により前記冷却室の背面に上下方向に延びる背面ダクトを設けた冷蔵庫であって、
該背面ダクトの左右の側面に、前記冷却室内に冷気を吹き出す複数の吹出開口を、上下方向に並設し、前記背面ダクトの左右両側に、前記吹出開口に対向させて背面ダクトの前記側面と平行な平面部を、前記冷却室の左右の壁面から離間して、前記ダクト形成部材により設け、前記吹出開口から左右に吹き出された冷気を該平面部で前方に指向させる
ことを特徴とする冷蔵庫。
【請求項２】
前記冷却室内に棚位置を上下移動可能な可変棚を設けたことを特徴とする請求項１記載の冷蔵庫。
【請求項３】
前記背面ダクトの左右両側に、当該ダクトの前面に対して後方に陥没した凹部を前記ダクト形成部材により設け、前記吹出開口に対向する該凹部の壁面に前記平面部を設けた
ことを特徴とする請求項１記載の冷蔵庫。
【請求項４】
前記吹出開口のダクト内側に、当該ダクト内を流れる冷気を取り込むリブを設けた
ことを特徴とする請求項１記載の冷蔵庫。
【請求項５】
前記リブが、前記吹出開口の縁部からダクト内側に向かって水平に突出した
ことを特徴とする請求項４記載の冷蔵庫。
【請求項６】
前記リブが、前記背面ダクトの上流側ほど長く形成された
ことを特徴とする請求項５記載の冷蔵庫。
【請求項７】
前記背面ダクトの上流側にある吹出開口のリブが、先端ほど該ダクトの上流側に傾斜して設けられた
ことを特徴とする請求項４記載の冷蔵庫。
【請求項８】
前記の傾斜したリブの根元部に、前記吹出開口の縁部からダクト内側に向かって水平に突出する水平部を設けた
ことを特徴とする請求項７記載の冷蔵庫。
【請求項９】
前記背面ダクトの前面に、前方に冷気を吹き出す前面開口を設けた
ことを特徴とする請求項１記載の冷蔵庫。
【請求項１０】
前記前面開口に、ダクト内側から当該開口を覆って、背面ダクト内を流れる冷気を取り込むガイドを設けた
ことを特徴とする請求項９記載の冷蔵庫。
【請求項１１】
前記前面開口が前記背面ダクトの幅方向中央から側方に寄せて配置され、
前記ガイドの中央側の端部が、前記前面開口から吹き出される冷気を前記冷却室の幅方向中央に向けるように傾斜している
ことを特徴とする請求項１０記載の冷蔵庫。
【請求項１２】
前記前面開口が前記背面ダクトの幅方向中央から側方に寄せて配置され、
該前面開口における前記吹出開口に近い側の端部から、冷気を取り込むためのリブを突設した
ことを特徴とする請求項９記載の冷蔵庫。
【発明の詳細な説明】
【０００１】
【発明の属する技術分野】
本発明は、冷蔵庫に関するものである。
【０００２】
【従来の技術および発明が解決しようとする課題】
一般に、冷蔵庫の冷蔵室には、複数の食品収納用の棚が上下に設けられている。また、冷蔵室の背面には上下方向に延びる背面ダクトが設けられ、この背面ダクトから冷蔵室内に冷気が吹き出され、これにより冷蔵室は冷却されるようになっている。
【０００３】
本発明は、このような背面ダクトを備える冷蔵庫において、背面ダクトから冷却室内への冷気の吹出開口を、冷却室の前面から見えにくくして、デザイン的に優れる冷蔵庫を提供することを目的とする。
【０００５】
【課題を解決するための手段】
本発明の請求項１記載の冷蔵庫は、冷却室の背面部にダクト形成部材を取付けて、該ダクト形成部材により前記冷却室の背面に上下方向に延びる背面ダクトを設けた冷蔵庫であって、該背面ダクトの左右の側面に、前記冷却室内に冷気を吹き出す複数の吹出開口を、上下方向に並設し、前記背面ダクトの左右両側に、前記吹出開口に対向させて背面ダクトの前記側面と平行な平面部を、前記冷却室の左右の壁面から離間して、前記ダクト形成部材により設け、前記吹出開口から左右に吹き出された冷気を該平面部で前方に指向させるものである。
【０００７】
この冷蔵庫であると、背面ダクトの吹出開口を背面ダクトの前面ではなく、左右の側面に設けたので、冷却室の前面からこれら吹出開口が見えにくく、従って、デザイン的に優れる。また、背面ダクトの側面から左右に吹き出された冷気は、そのままでは冷却室の左右の壁面に沿って前方に流れるが、上記のように吹出開口に対向する平面部を設けることにより、そのまま前方に流すことができる。
【０００８】
請求項２の冷蔵庫は、請求項１において、前記冷却室内に棚位置を上下移動可能な可変棚を設けたことを特徴とする。
【００１０】
請求項３の冷蔵庫は、請求項１において、前記背面ダクトの左右両側に、当該ダクトの前面に対して後方に陥没した凹部を前記ダクト形成部材により設け、前記吹出開口に対向する該凹部の壁面に前記平面部を設けたことを特徴とする。
【００１１】
これにより、該平面部を冷却室内に突出しないように設けることができる。
【００１２】
請求項４の冷蔵庫は、請求項１において、前記吹出開口のダクト内側に、当該ダクト内を流れる冷気を取り込むリブを設けたことを特徴とする。
【００１３】
これにより、背面ダクト内を流れる冷気を取り込んで、各吹出開口から効果的に冷気を吹き出させることができる。
【００１４】
請求項５の冷蔵庫は、請求項４において、前記リブが、前記吹出開口の縁部からダクト内側に向かって水平に突出したことを特徴とする。
【００１５】
このようにリブを水平に設けることにより、ダクト内を上下方向に流れる冷気を該リブで水平方向に変えて、吹出開口から水平に冷気を吹き出すことができる。
【００１６】
請求項６の冷蔵庫は、請求項５において、前記リブが、前記背面ダクトの上流側ほど長く形成されたことを特徴とする。
【００１７】
背面ダクト内を流れる冷気は上流側ほど流速が速く取り込みにくいため、上流側ほど長くすることにより、吹出開口からの冷気の吹き出し量を上下方向で均一化することができる。
【００１８】
請求項７の冷蔵庫は、請求項４において、前記背面ダクトの上流側にある吹出開口のリブが、先端ほど該ダクトの上流側に傾斜して設けられたことを特徴とする。
【００１９】
これのようにリブを傾斜して設けることにより、冷気の流れに対する抵抗が少なくなるので、流速の速いダクト上流側に設けたリブでも冷気を取り込みやすい。
【００２０】
請求項８の冷蔵庫は、請求項７において、前記の傾斜したリブの根元部に、前記吹出開口の縁部からダクト内側に向かって水平に突出する水平部を設けたことを特徴とする。
【００２１】
これにより、ダクト内を上下方向に流れる冷気を傾斜リブの根元部で水平方向に変えて、吹出開口から水平に冷気を吹き出すことができる。
【００２２】
請求項９の冷蔵庫は、請求項１において、前記背面ダクトの前面に、前方に冷気を吹き出す前面開口を設けたことを特徴とする。
【００２３】
このように、本発明においては、背面ダクトの左右の側面だけでなく、その間の前面にも冷気吹き出し用の開口を設けてもよい。これにより、冷却室の幅方向における温度分布をより良くすることができる。
【００２４】
請求項１０の冷蔵庫は、請求項９において、前記前面開口に、ダクト内側から当該開口を覆って、背面ダクト内を流れる冷気を取り込むガイドを設けたことを特徴とする。
【００２５】
このガイドにより、背面ダクト内を流れる冷気を良好に前面開口に導いて冷却室内に吹き出すことができる。また、このガイドによって前面開口がダクト内側から覆われているため、前面開口が冷却室の前面から見えにくい。
【００２６】
請求項１１の冷蔵庫は、請求項１０において、前記前面開口が前記背面ダクトの幅方向中央から側方に寄せて配置され、前記ガイドの中央側の端部が、前記前面開口から吹き出される冷気を前記冷却室の幅方向中央に向けるように傾斜していることを特徴とする。
【００２７】
これにより、背面ダクトの側方に寄せて設けた前面開口でありながら、冷却室の中央に向けて冷気を吹き出させることができる。
【００２８】
請求項１２の冷蔵庫は、請求項９において、前記前面開口が前記背面ダクトの幅方向中央から側方に寄せて配置され、該前面開口における前記吹出開口に近い側の端部から、冷気を取り込むためのリブを突設したことを特徴とする。
【００２９】
前面開口が背面ダクト側面の吹出開口に近い場合、冷気は左右の吹出開口に流れようとする。そのため、吹出開口に近い側の前面開口端部に冷気取り込み用リブを設けることにより、前面開口からの冷気の吹き出し量を確保することができる。
【００３０】
【発明の実施の形態】
以下、本発明の実施形態について図面に基づいて説明する。
【００３１】
図１は、本発明の一実施形態に係る冷蔵庫における冷蔵室１０の側面断面図であり、図２は、同冷蔵室１０の背面部の斜視図、図３は、同冷蔵室１０の背面ダクト２０を形成するダクト形成部材２２の背面斜視図である。本実施形態の冷蔵庫は、上段に冷蔵室１０を備え、中段及び下段に不図示の野菜室及び冷凍室を備える冷凍冷蔵庫である。以下、この上段の冷蔵室１０の構造について説明する。
【００３２】
図１に示すように、冷蔵室１０は、内部に水平な食品収納用棚１２が上下に複数枚（ここでは４枚）配設された冷却室であり、その前面開口部が上下の扉ヒンジ（不図示）に取付けられた回動式の扉９で開閉されるようになっている。冷蔵室１０内に配された４枚の棚の内、上２枚の棚１２ａ，１２ｂは、棚位置を上下移動可能な可変棚であり、下２枚の棚１２ｃ，１２ｄは、棚位置を変更できない固定棚である。なお、最下棚１２ｄの下は、低温区画であるチルドルーム１４となっている。
【００３３】
冷蔵室１０の左右両側面には、それぞれ前後一組の棚係止部材１４，１４が固設されている。棚係止部材１４は、上下方向に延びる部材であって、上下方向に所定の間隔をおいて複数（ここでは８個）の係止孔１６が設けられている。そして、同一高さにある前後の係止孔１６に、前後方向に延びる棒状の棚受け部材１８を取付けて、左右の棚受け部材１８により可変棚１２ａ，１２ｂが支持されている。可変棚１２ａ，１２ｂは、このようにして、冷蔵室１０の上側略半分で棚位置を上下に複数段階にて移動可能に構成されている。この冷蔵室１０における棚位置可変領域Ｈは、１段目の可変棚１２ａの最高取付位置から２段目の可変棚１２ｂの最低取付位置までの高さ領域である。
【００３４】
冷蔵室１０の背後には、上下方向に延びる背面ダクト２０が設けられている。背面ダクト２０は、その下方に配された冷却器（不図示）からファン（不図示）の作用により吹き上げられる冷気を冷蔵室１０内に吹き出させるものであり、冷蔵室１０の下端から上端にかけて設けられ、天井面で前後方向に延びる天井ダクト２４に連結されている。背面ダクト２０は、図２に示すように、冷蔵室１０内の内箱背面部１１に取付けられたダクト形成部材２２により、冷蔵室１０の幅方向中央部に設けられている。なお、天井ダクト２４は、冷蔵室１０の天井面に取付けられたダクト形成部材２６により形成されている。
【００３５】
背面ダクト２０の左右両側面２８は、冷蔵室１０の幅方向に垂直な平面であって、上下方向に延びる細幅の帯状をなしている。そして、この左右の側面２８には、冷蔵室１０内に冷気を吹き出す多数の矩形の小さな吹出開口３０が上下方向に連ねて設けられている。詳細には、この実施形態では、吹出開口３０は、上記棚位置可変領域Ｈを含む３段目の棚１２ｃよりも上方の領域の全域にわたって、上下に近接した状態で一列に並設されている。
【００３６】
この吹出開口３０から左右に吹き出された冷気は、そのままでは冷蔵室１０の壁面に沿って左右両側面から前方に流れるため、この実施形態では、背面ダクト２０の左右両側に、吹出開口３０に対向させて背面ダクト２０の側面２８と平行な平面部３２を設けている。詳細には、図２及び図４に示すように、背面ダクト２０の左右両側に、ダクト前面２０ａに対して後方に陥没した上下方向に延びる凹部３４を設け、吹出開口３０に対向する凹部３４の壁面に、上下方向に延びる細幅の平面部３２を設けている。
【００３７】
このようにして設けた平面部３２は冷蔵室１０の幅方向に垂直な平面であるため、吹出開口３０から左右に吹き出された冷気は、この平面部３２でまっすぐ前方に向かって吹き出されるようになっている。しかも、この平面部３２がリブにより形成されていないため、冷蔵室１０内に突出していない。
【００３８】
図５に示すように、吹出開口３０のダクト２０内側には、ダクト２０内を流れる冷気を取り込むリブ３６が設けられている。リブ３６は、吹出開口３０の下流側の縁部からダクト２０内側に向かって水平に突出した形状にて設けられており、これにより、ダクト２０内を上下方向に流れる冷気を、該リブ３６で水平方向に変えて、吹出開口３０から水平に冷気を吹き出すようになっている。
【００３９】
また、リブ３６は、吹出開口３０の一つおきに設けられており、さらに、冷気の流れの速い背面ダクト２０の上流側ほど（即ち、ダクト２０の下方側ほど）長く形成されている。これにより、ダクト２０の上下方向において各吹出開口３０からの冷気の吹き出し量の均一化を図っている。
【００４０】
また、図３及び図６に示すように、背面ダクト２０の上流側にあるやや大きな開口である吹出開口３０ａでは、冷気を取り込むためリブ３８が、先端ほどダクト２０の上流側に傾斜して設けられている。この傾斜リブ３８であれば、冷気の流れに対する抵抗が少なくなるので、冷気の流れが速く横方向への流れが起きにくいダクト２０上流側でも、良好に冷気を取り込んで、冷蔵室１０内に冷気を吹き出すことができる。
【００４１】
この傾斜リブ３８の根元部には、吹出開口３０ａの縁部からダクト２０内側に向かって水平に突出する水平部３８ａが設けられており、ダクト２０内を上方に流れる冷気を該水平部３８ａで水平方向に変えて、吹出開口３０ａから水平に冷気を吹き出すことができるようになっている。
【００４２】
図２に示すように、この実施形態では、背面ダクト２０の前面部２０ａにも、前方に冷気を吹き出す前面開口４０が設けられている。前面開口４０は、各棚１２の間に設けられており、最下段である４段目の棚１２ｄと冷蔵室１０の底面との間を除いては、上記した左右側面２８の吹出開口３０とともに、その間の前面開口４０からも冷気が吹き出されるようになっており、これにより、冷蔵室１０の幅方向における温度分布をより良くしている。
【００４３】
図７に示すように、前面開口４０には、ダクト２０の内側から当該開口４０を覆って、背面ダクト２０内を流れる冷気を取り込むガイド４２が設けられている。このガイド４２は、前面開口４０の冷気下流側の開口縁から後方に突出して、当該開口４０のほぼ全域を覆い、下方である冷気上流側から冷気を取り込むように下方に開口している。また、ガイド４２は、冷気を水平方向に吹き出すように、開口縁近傍の根元部に水平面部４４を備えている。
【００４４】
このようなガイド４２を設けることにより、背面ダクト２０内を流れる冷気を良好に前面開口４０に導いて、冷蔵室１０内に吹き出すことができる。また、前面開口４０が冷蔵室１０の前面から見えにくくなるため、見栄えがよい。
【００４５】
図３に示すように、背面ダクト２０の幅方向中央部には、冷蔵室１０内の温度を検知する温度センサ４６が収納されるセンサ収納部４７が設けられている。そのため、この部分では、前面開口４０ａが、背面ダクト２０の幅方向中央から側方に寄せて、即ち左右の吹出開口３０の近くに配置されている。このように前面開口４０ａが吹出開口３０に近い場合、ダクト２０内を流れる冷気はそのままでは左右の吹出開口３０に流れようとする。そこで、本実施形態では、図８に示すように、前面開口４０ａには、吹出開口３０に近い側の開口端部に冷気取り込み用リブ４８を設けている。このリブ４８は、先端ほどダクト２０の上流側に傾斜している。
【００４６】
また、この前面開口４０ａにおいては、上記ガイド４２の中央側の端部５０が、前面開口４０ａから吹き出される冷気を冷蔵室１０の幅方向中央に向けるように傾斜した形状に設けられている。すなわち、ガイド４２の中央側端部５０は、前面開口４０ａの開口面から垂直ではなく、後方ほど側方に傾斜するように湾曲面状に形成されている。
【００４７】
以上より、前面開口４０ａでは、ダクト２０内を流れる冷気をリブ４８とガイド４２により効果的に取り込んで、取り込んだ冷気をガイド４２の傾斜端部５０で冷蔵室１０の幅方向中央部に方向付けて流すようになっている。
【００４８】
本実施形態の冷蔵庫１０であると、背面ダクト２０の左右の吹出開口３０を複数の可変棚１２ａ，１２ｂの棚位置可変領域Ｈを含む背面ダクト２０のほぼ全域にわたって連ねて設けたことから、可変棚１２ａ，１２ｂの棚位置をどこに設定しても、吹出開口面積を確保することができ、良好な温度分布を得ることができる。
【００４９】
また、かかる複数の吹出開口３０を背面ダクト２０の前面２０ａではなく、左右の側面２８に設けたので、冷蔵室１０の前面からこれら吹出開口３０が見えにくく、従って、デザイン的にも優れる。
【００５０】
なお、この実施形態では、左右の吹出開口３０を棚位置可変領域Ｈを含む背面ダクト２０のほぼ全域にわたって連設しているが、棚位置可変領域Ｈのほぼ全域で連設していれば、棚位置をどこに変更しても吹出開口面積を確保するという効果が得られる。このように吹出開口３０を棚位置可変領域Ｈのみで連設する場合、他の領域では従来と同様のダクト前面の開口部により、冷気の吹き出しを確保することができる。但し、より良好な温度分布を得るためには、左右の吹出開口３０は、複数の可変棚１２ａ，１２ｂの収納領域（可変棚の最低取付位置から最高取付位置での食品収納高さまでの領域）のほぼ全域にわたって連ねて設けることが好適である。
【００５１】
【発明の効果】
本発明の冷蔵庫であると、背面ダクトの吹出開口を背面ダクトの前面ではなく、左右の側面に設けたので、冷却室の前面からこれら吹出開口が見えにくく、従って、デザイン的に優れる。
【図面の簡単な説明】
【図１】本発明の一実施形態に係る冷蔵庫の冷蔵室の縦断面図である。
【図２】同冷蔵室の背面部の斜視図である。
【図３】同冷蔵室の背面ダクトを形成するダクト形成部材の背面斜視図である。
【図４】図２のＡ−Ａ線断面図である。
【図５】図２のＢ−Ｂ線断面図である。
【図６】図３のＣ部拡大図である。
【図７】図３のＤ−Ｄ線断面図である。
【図８】図３のＥ部拡大図である。
【符号の説明】
１０……冷蔵室
１２ａ，１２ｂ……可変棚
２０……背面ダクト
２８……ダクト側面
３０……吹出開口
３２……平面部
３４……凹部
３６……リブ
３８……傾斜リブ
３８ａ……水平部
４０……前面開口
４２……ガイド
４８……リブ
５０……ガイドの中央側の端部
【図１】
0003730095.tif 000002
【図２】
0003730095.tif 000003
【図３】
0003730095.tif 000004
【図４】
0003730095.tif 000005
【図５】
0003730095.tif 000006
【図６】
0003730095.tif 000007
【図７】
0003730095.tif 000008
【図８】
0003730095.tif 000009